(57)【特許請求の範囲】
【請求項１】
操作ボタンとスイッチ素子との間に設けられ、前記操作ボタンの押し下げ操作により弾性変形を行い、前記スイッチ素子を第１の状態にすると共に前記操作ボタンを介して操作感を付与するものであり、円筒形状を有し、インナーケースに組み付けられた後に前記インナーケースの裏面と対向する表面から突出する円筒部、前記円筒部の上面に形成され、前記操作ボタンと接触する複数の凸部、及び上面が前記操作ボタンと接触し、前記上面の反対側の面が前記スイッチ素子と接触し、ドーム形状を有して前記円筒部の開口内に形成されるドーム部を有するスイッチ機構部と、
液体の侵入を防止するシール部と、
が一体となって形成されたスイッチ用パッキン。
【請求項２】
前記スイッチ機構部の前記複数の凸部が向かい合うように前記円筒部の前記上面に形成される請求項１に記載のスイッチ用パッキン。
【請求項３】
前記シール部は、前記スイッチ機構部が形成された前記表面の輪郭に沿って形成される側面部の底部から外に向かって突出して形成される請求項２に記載のスイッチ用パッキン。
【請求項４】
請求項３に記載のスイッチ用パッキンを含む送信機モジュールを備えた電子キー。
【発明の詳細な説明】
【技術分野】
【０００１】
本発明は、スイッチ用パッキン及びそれを用いた電子キーに関する。
【背景技術】
【０００２】
従来の技術として、押釦とスイッチ素子との間に設けられ、弾性変形によって当該スイッチ素子を電気的に開閉させる弾性部材よりなるアクチュエータが知られている（例えば、特許文献１参照。）。このアクチュエータは、押し出し加工により連続的に成形される。
【０００３】
また、アクチュエータは、奥行き方向に一様な断面を有しているので、奥行き方向に所定の長さで切断されることにより、複数のアクチュエータとなる。
【先行技術文献】
【特許文献】
【０００４】
【特許文献１】特開平２−２１０７２６号公報
【発明の概要】
【発明が解決しようとする課題】
【０００５】
しかし、従来のアクチュエータは、例えば、複数のスイッチが設けられるとき、スイッチごとにアクチュエータが設置されるが、防水構造ではないため、防水のためにアクチュエータとは別の部材が必要となり、製造コストが増加する。
【０００６】
従って、本発明の目的は、操作感を容易に変更することができ、かつ、防水機能を備えることができるスイッチ用パッキン及びそれを用いた電子キーを提供することにある。
【課題を解決するための手段】
【０００７】
本発明の一態様は、操作ボタンとスイッチ素子との間に設けられ、操作ボタンの押し下げ操作により弾性変形を行い、スイッチ素子を第１の状態にすると共に操作ボタンを介して操作感を付与するものであり、円筒形状を有し、インナーケースに組み付けられた後にインナーケースの裏面と対向する表面から突出する円筒部、円筒部の上面に形成され、操作ボタンと接触する複数の凸部、及び上面が操作ボタンと接触し、上面の反対側の面がスイッチ素子と接触し、ドーム形状を有して円筒部の開口内に形成されるドーム部を有するスイッチ機構部と、液体の侵入を防止するシール部と、が一体となって形成されたスイッチ用パッキンを提供する。
【発明の効果】
【０００８】
本発明によれば、操作感を容易に変更することができ、かつ、防水機能を備えることができる。
【図面の簡単な説明】
【０００９】
【図１】図１（ａ）は、実施の形態に係るスイッチ用パッキンを用いた電子キーの斜視図であり、（ｂ）は、電子キーの上部本体を取り外した場合の斜視図である。
【図２】図２（ａ）は、実施の形態に係る電子キーの送信機モジュールの斜視図であり、（ｂ）は、スイッチ用パッキンの防水機能を説明するための図２（ａ）のII（ｂ）-II（ｂ）線で切断した断面を矢印の方向から見た断面図である。
【図３】図３は、実施の形態に係る送信機モジュールの展開図である。
【図４】図４（ａ）は、実施の形態に係るインナーケースの斜視図であり、（ｂ）は、スイッチ用パッキンの斜視図である。
【図５】図５（ａ）は、実施の形態に係るスイッチ用パッキンの上面図であり、（ｂ）は、下面図であり、（ｃ）は、左側面図であり、（ｄ）は、前側面図である。
【図６】図６（ａ）は、実施の形態に係る電子キーの第１のボタンの斜視図であり、（ｂ）は、上面図であり、（ｃ）は、下面図である。
【図７】図７（ａ）及び（ｂ）は、実施の形態に係る第１のスイッチ部の動作を説明するための図１（ａ）のVII（ａ）-VII（ａ）線で切断した断面を矢印方向から見た断面図である。
【図８】図８（ａ）〜（ｃ）は、実施の形態に係るスイッチ用パッキンとインナーケースの組み付けについて説明するための要部断面図である。
【発明を実施するための形態】
【００１０】
（実施の形態の要約）
実施の形態に係るスイッチ用パッキンは、操作ボタンとスイッチ素子との間に設けられ、操作ボタンの押し下げ操作により弾性変形を行い、スイッチ素子を第１の状態にすると共に操作ボタンを介して操作感を付与するスイッチ機構部と、液体の侵入を防止するシール部と、が一体となって形成されている。
【００１１】
[実施の形態]
（電子キー１の構成）
図１（ａ）は、実施の形態に係るスイッチ用パッキンを用いた電子キーの斜視図であり、（ｂ）は、電子キーの上部本体を取り外した場合の斜視図である。図２（ａ）は、実施の形態に係る電子キーの送信機モジュールの斜視図であり、（ｂ）は、スイッチ用パッキンの防水機能を説明するための図２（ａ）のII（ｂ）-II（ｂ）線で切断した断面を矢印の方向から見た断面図である。なお、実施の形態に係る各図において、部品と部品との比率は、実際の比率とは異なる場合がある。また、特に断らない限り、以下では、上部本体２１側を上、下部本体２０側を下、鍵部３が形成された先端部２０ａを前、その反対側を後、先端部２０ａの向って右側を右、及び先端部２０ａの向って左側を左と記載するものとする。
【００１２】
電子キー１は、例えば、車両のドア及びトランク等のロック、アンロックを遠隔操作することができるものである。この電子キー１は、例えば、本体２と、鍵部３と、第１のスイッチ４ａ〜第４のスイッチ４ｄと、送信機モジュール５と、を備えて概略構成されている。
【００１３】
・本体２の構成
本体２は、例えば、図１（ａ）に示すように、その全体が丸みを帯びた形状となり、鍵部３が取り付けられた先端部２０ａが先細り、その反対の端部が先端部２０ａより幅が広くなって、手に馴染む形状となっている。本体２は、例えば、ポリスチレン系、ポリエチレン系、ポリアミド系、アクリロニトリル／ブタジエン／スチレン（ＡＢＳ）等の合成樹脂材料を用いて形成される。
【００１４】
この本体２は、例えば、図１（ａ）及び（ｂ）に示すように、下部本体２０と上部本体２１から構成されている。上部本体２１は、例えば、下部本体２０に重ね合わせて、上部本体２１の突起（図示せず）を下部本体２０の凹部２０２に嵌め込むことにより、下部本体２０と上部本体２１が一体となるように構成されている。
【００１５】
下部本体２０は、例えば、図１（ｂ）に示すように、底面の縁から壁が突出して、中央に空間（収容部２０１）が形成される形状を有している。また、上部本体２１は、下部本体２０の収容部２０１と同じような空間が形成されている。以下では、下部本体２０及び上部本体２１の空間を合わせた空間を、収容部２０１と記載するものとする。
【００１６】
下部本体２０は、先端部２０ａに凹部２００が形成され、この凹部２００に鍵部３の端部３１が嵌め込まれている。また、この凹部２００に対応して、上部本体２１には、凹部２１５が形成され、この凹部２００及び凹部２１５により形成される開口よりも大きい端部３１が本体２内に位置するため、鍵部３は本体２から抜けない構造となっている。
【００１７】
収容部２０１には、例えば、図２（ａ）に示す送信機モジュール５が収容されている。
【００１８】
上部本体２１は、例えば、その表面２１０に第１の開口２１１〜第４の開口２１４を備えている。本体２には、例えば、これらの開口に応じて、第１のスイッチ４ａ〜第４のスイッチ４ｄが設けられている。具体的には、第１の開口２１１には第１のスイッチ４ａ、第２の開口２１２には第２のスイッチ４ｂ、第３の開口２１３には第３のスイッチ４ｃ、及び第４の開口２１４には第４のスイッチ４ｄが設けられている。
【００１９】
・鍵部３の構成
鍵部３は、例えば、細長い板形状を有するキープレート３０を備えて構成されている。このキープレート３０の端部３１側は、例えば、図１（ｂ）に示すように、略Ｔ字形状となっている。また、このキープレート３０は、例えば、その側面に溝部３２が形成されている。この溝部３２の形状は、車両ごとに異なっている。
【００２０】
・送信機モジュール５の構成
図３は、実施の形態に係る送信機モジュールの展開図である。
【００２１】
送信機モジュール５は、例えば、第１のスイッチ４ａ〜第４のスイッチ４ｄになされた操作に基づいて操作信号を無線で車両に送信する送信機である。この送信機モジュール５は、例えば、図３に示すように、アウターケース６と、基板７と、インナーケース８と、スイッチ用パッキン９と、を備えて概略構成されている。
【００２２】
・アウターケース６の構成
アウターケース６は、例えば、例えば、ポリスチレン系、ポリエチレン系、ポリアミド系、アクリロニトリル／ブタジエン／スチレン（ＡＢＳ）等の合成樹脂材料を用いて形成される。
【００２３】
また、アウターケース６は、例えば、図３に示すように、底面６０が、前方が後方よりも幅が小さく、また、右側が内側に凹んだような形状を有している。なお、基板７、インナーケース８の表面８０ａ、スイッチ用パッキン９の表面９０ａは、例えば、この底面６０に相似な形状となっている。
【００２４】
アウターケース６は、例えば、底面６０の縁から突出した側面に囲まれた空間（収容部６６）が形成されている。この底面６０には、例えば、円柱形状を有する支持部６７ａ〜支持部６７ｅが設けられている。なお、支持部６７ａ〜支持部６７ｅは、例えば、アウターケース６と一体となって形成されても良いが、これに限定されず、ねじ及び接着剤等で取り付けられても良い。
【００２５】
この支持部６７ａ〜支持部６７ｅは、基板７を支持するために設けられたものであり、基板７の外形に合わせて配置されている。
【００２６】
また、このアウターケース６の側面には、インナーケース８の側面に形成されたスナップフィットが嵌まり込む複数の開口が形成されている。アウターケース６の前側面６１は、例えば、図２（ａ）に示すように、第１の開口６１０が形成されている。前側面６１の右側で凹んだ位置にある側面部６２は、例えば、図２（ａ）に示すように、第２の開口６２０が形成されている。右側面６３は、例えば、図２（ａ）に示すように、第３の開口６３０が形成されている。後側面６４は、例えば、図３に示すように、第４の開口６４０及び第５の開口６４１が形成されている。左側面６５は、例えば、図３に示すように、第６の開口６５０及び第７の開口６５１が形成されている。
【００２７】
・基板７の構成
基板７は、例えば、各種電子部品を搭載する回路基板である。この基板７は、例えば、表面７０ａに第１のスイッチ素子７１〜第４のスイッチ素子７４が配置されている。また、基板７の裏面７０ｂには、図３に示すように、電池７００が取り付けられている。また、基板７は、例えば、スイッチ用パッキン９の裏面９０ｂ側の空間に収容され、第１のスイッチ素子７１の先端部７１１〜第４のスイッチ素子７４の先端部７４１がスイッチ用パッキン９に接触する。
【００２８】
この第１のスイッチ素子７１〜第４のスイッチ素子７４は、例えば、先端部７１１、先端部７２１、先端部７３１及び先端部７４１が、それぞれの本体７１０、本体７２０、本体７３０及び本体７４０内に移動するように押し下げられると、オン（第１の状態）となり、先端部が元の状態に復帰するとオフになるタクトスイッチ等のスイッチである。第１のスイッチ素子７１は、例えば、第１のボタン４１に対応して設けられている。第２のスイッチ素子７２は、例えば、第２のボタン４２に対応して設けられている。第３のスイッチ素子７３は、例えば、第３のボタン４３に対応して設けられている。第４のスイッチ素子７４は、例えば、第４のボタン４４に対応して設けられている。
【００２９】
・インナーケース８の構成
図４（ａ）は、実施の形態に係るインナーケースの斜視図であり、（ｂ）は、スイッチ用パッキンの斜視図である。
【００３０】
インナーケース８は、例えば、例えば、ポリスチレン系、ポリエチレン系、ポリアミド系、アクリロニトリル／ブタジエン／スチレン（ＡＢＳ）等の合成樹脂材料を用いて形成される。インナーケース８の表面８０ａには、例えば、第１のスイッチ４ａ〜第４のスイッチ４ｄのそれぞれに対応する、円形状の第１の開口８４１〜第４の開口８４４が形成されている。
【００３１】
インナーケース８は、例えば、図４（ａ）に示すように、表面８０ａの縁に沿って側面部８０ｃが形成され、その前側面８１には、第１のスナップフィット８１０が形成されている。また、前側面８１の右側で凹んだ場所にある側面８２には、例えば、図４（ａ）に示すように、第２のスナップフィット８２０が形成されている。右側面８３には、例えば、図４（ａ）に示すように、第３のスナップフィット８３０が形成されている。なお、図示は省略しているが、後側面及び左側面には、例えば、アウターケース６の第４の開口６４０〜第７の開口６５１に対応してスナップフィットが形成されている。
【００３２】
第１のスナップフィット８１０は、例えば、表面８０ａの縁に沿った細長い形状を有し、その上面は、表面８０ａと略平行で平坦な形状を有する。また、第１のスナップフィット８１０は、例えば、下側に向かって表面８０ａに平行な面で切断した面が小さくなるように構成されている（図２（ｂ）参照）。なお、第２のスナップフィット８２０、第３のスナップフィット８３０及びその他のスナップフィットは、例えば、第１のスナップフィット８１０と相似形状となるように形成される。
【００３３】
・スイッチ用パッキン９の構成
図５（ａ）は、実施の形態に係るスイッチ用パッキンの上面図であり、（ｂ）は、下面図であり、（ｃ）は、左側面図であり、（ｄ）は、前側面図である。図５（ｃ）は、第１のスイッチ機構部９１を左側面９７側から見た図である。図５（ｄ）は、第１のスイッチ機構部９１を前側面９５側から見た図である。
【００３４】
スイッチ用パッキン９は、例えば、シリコーン樹脂を用いてなるシリコーンゴムで形成される。スイッチ用パッキン９は、例えば、インナーケース８の収容部８００の形状に合わせた形状を有している。
【００３５】
スイッチ用パッキン９の表面９０ａには、例えば、図４（ｂ）に示すように、第１のスイッチ機構部９１〜第４のスイッチ機構部９４が形成されている。
【００３６】
この第１のスイッチ機構部９１は、例えば、第１のボタン４１と第１のスイッチ素子７１との間に設けられ、第１のボタン４１の押し下げ操作により弾性変形を行い、第１のスイッチ素子７１をオンにすると共に第１のボタン４１を介して操作者に操作感を付与するものである。
【００３７】
第２のスイッチ機構部９２は、例えば、第２のボタン４２と第２のスイッチ素子７２との間に設けられ、第２のボタン４２の押し下げ操作により弾性変形を行い、第２のスイッチ素子７２をオンにすると共に第２のボタン４２を介して操作者に操作感を付与するものである。
【００３８】
第３のスイッチ機構部９３は、例えば、第３のボタン４３と第３のスイッチ素子７３との間に設けられ、第３のボタン４３の押し下げ操作により弾性変形を行い、第３のスイッチ素子７３をオンにすると共に第３のボタン４３を介して操作者に操作感を付与するものである。
【００３９】
第４のスイッチ機構部９４は、例えば、第４のボタン４４と第４のスイッチ素子７４との間に設けられ、第４のボタン４４の押し下げ操作により弾性変形を行い、第４のスイッチ素子７４をオンにすると共に第４のボタン４４を介して操作者に操作感を付与するものである。
【００４０】
第１のスイッチ機構部９１は、例えば、図５（ａ）〜図５（ｄ）に示すように、円筒形状を有し、表面９０ａから突出する円筒部９１０と、円筒部９１０の上部９１２に形成され、第１のボタン４１と接触する凸部９１３及び凸部９１４と、上面９１６が第１のボタン４１と接触し、上面９１６の反対側の裏面９１８が第１のスイッチ素子７１と接触し、ドーム形状を有して円筒部９１０の開口９１５ａ内に形成されるドーム部９１５と、を備えて概略構成されている。この上部９１２は、例えば、円形状となる第１の開口８４１よりも大きい円形状となるように形成されている。
【００４１】
円筒部９１０は、例えば、図５（ｃ）に示すように、側面が凹んだ形状となる凹部９１１が形成されている。この凹部９１１は、例えば、第１の開口８４１に嵌り込むように構成されている。
【００４２】
その上部９１２には、例えば、図５（ｄ）に示すように、上部９１２から突出し、向かい合うように凸部９１３及び凸部９１４が形成されている。この凸部９１３及び凸部９１４は、例えば、板形状を有している。
【００４３】
第２のスイッチ機構部９２は、例えば、円筒部９２０と、円筒部９２０の上部９２２に形成され、第２のボタン４２と接触する凸部９２３及び凸部９２４と、上面９２６が第２のボタン４２と接触し、上面９２６の反対側の裏面９２８が第２のスイッチ素子７２と接触し、円筒部９２０の開口９２５ａ内に形成されるドーム部９２５と、を備えて概略構成されている。この上部９２２は、例えば、第２の開口８４２よりも大きい円形状となるように形成されている。
【００４４】
円筒部９２０は、例えば、凹部９１１と同じ形状となる図示しない凹部が形成されている。この凹部は、例えば、第２の開口８４２に嵌り込むように構成されている。
【００４５】
その上部９２２には、例えば、上部９２２から突出し、向かい合うように凸部９２３及び凸部９２４が形成されている。この凸部９２３及び凸部９２４は、例えば、板形状を有している。
【００４６】
第３のスイッチ機構部９３は、例えば、円筒部９３０と、円筒部９３０の上部９３２に形成され、第３のボタン４３と接触する凸部９３３及び凸部９３４と、上面９３６が第３のボタン４３と接触し、上面９３６の反対側の裏面９３８が第３のスイッチ素子７３と接触し、円筒部９３０の開口９３５ａ内に形成されるドーム部９３５と、を備えて概略構成されている。この上部９３２は、例えば、第３の開口８４３よりも大きい円形状となるように形成されている。
【００４７】
円筒部９３０は、例えば、凹部９１１と同じ形状となる図示しない凹部が形成されている。この凹部は、例えば、第３の開口８４３に嵌り込むように構成されている。
【００４８】
その上部９３２には、例えば、上部９３２から突出し、向かい合うように凸部９３３及び凸部９３４が形成されている。この凸部９３３及び凸部９３４は、例えば、板形状を有している。
【００４９】
第４のスイッチ機構部９４は、例えば、円筒部９４０と、円筒部９４０の上部９４２に形成され、第４のボタン４４と接触する凸部９４３及び凸部９４４と、上面９４６が第４のボタン４４と接触し、上面９４６の反対側の裏面９４８が第４のスイッチ素子７４と接触し、円筒部９４０の開口９４５ａ内に形成されるドーム部９４５と、を備えて概略構成されている。この上部９４２は、例えば、第４の開口８４４よりも大きい円形状となるように形成されている。
【００５０】
円筒部９４０は、例えば、凹部９１１と同じ形状となる図示しない凹部が形成されている。この凹部は、例えば、第４の開口８４４に嵌り込むように構成されている。
【００５１】
その上部９４２には、例えば、上部９４２から突出し、向かい合うように凸部９４３及び凸部９４４が形成されている。この凸部９４３及び凸部９４４は、例えば、板形状を有している。
【００５２】
・第１のスイッチ４ａ〜第４のスイッチ４ｄの構成
図６（ａ）は、実施の形態に係る電子キーの第１のボタンの斜視図であり、（ｂ）は、上面図であり、（ｃ）は、下面図である。
【００５３】
電子キー１は、例えば、第１のスイッチ４ａ〜第４のスイッチ４ｄを備えている。第１のスイッチ４ａは、例えば、車両のドアをロックするためのスイッチである。第２のスイッチ４ｂは、例えば、車両のドアをアンロックするためのスイッチである。第３のスイッチ４ｃは、例えば、所定の時間、押し続けることにより、車両のトランクをアンロックするためのスイッチである。第４のスイッチ４ｄは、例えば、押し続けることにより、警告音を出力させるためのスイッチである。
【００５４】
第１のスイッチ４ａは、例えば、操作ボタンとしての第１のボタン４１、第１のスイッチ機構部９１及び第１のスイッチ素子７１を備えて概略構成されている。第２のスイッチ４ｂは、例えば、第２のボタン４２、第２のスイッチ機構部９２及び第２のスイッチ素子７２を備えて概略構成されている。第３のスイッチ４ｃは、例えば、第３のボタン４３、第３のスイッチ機構部９３及び第３のスイッチ素子７３を備えて概略構成されている。第４のスイッチ４ｄは、例えば、第４のボタン４４、第４のスイッチ機構部９４及び第４のスイッチ素子７４を備えて概略構成されている。
【００５５】
続いて、以下では、後述する第１のスイッチ４ａの動作の説明のため、主に、第１のボタン４１の構成について説明する。
【００５６】
第１のボタン４１は、例えば、図６（ａ）〜（ｃ）に示すように、操作面４１１の前側面４１２ａ、右側面４１２ｂ及び左側面４１２ｃに沿って、上部本体２１の開口から抜け止めとなるストッパ４１３が形成されている。このストッパ４１３は、例えば、前側面４１２ａ、右側面４１２ｂ及び左側面４１２ｃに沿って突出する板形状を有している。
【００５７】
また、第１のボタン４１の後側面４１２ｄには、例えば、後側面４１２ｄから突出し、上部本体２１の開口からの抜け止めとなる、板形状のストッパ４１４が形成されている。操作面４１１には、例えば、円錐形状となる突起４１１ａ及び突起４１１ｂが形成されている。
【００５８】
第１のボタン４１の裏面４１５の中央には、例えば、裏面４１５から突出する円錐形状となる凸部４１７が形成されている。この凸部４１７は、例えば、その上部に接触面４１８が形成されている。この接触面４１８は、第１のスイッチ機構部９１のドーム部９１５の上面９１６に接触している。また、中央から右側面４１２ｂ及び左側面４１２ｃに渡って接触部４１６が形成されている。この接触部４１６は、例えば、矩形状を有し、第１のスイッチ機構部９１の凸部９１３及び凸部９１４と接触している。なお、第２のボタン４２〜第４のボタン４４は、例えば、第１のボタン４１とほぼ同様の構成を有するので、詳細な説明は省略する。
【００５９】
・送信機モジュール５の防水性について
スイッチ用パッキン９は、例えば、液体の侵入を防止するシール部９００が形成されている。このシール部９００は、例えば、表面９０ａの輪郭に沿って形成される側面部９０ｃの底部９６から外に向かって突出して形成される。
【００６０】
このシール部９００は、送信機モジュール５として組み立てられた場合、図２（ｂ）に示すように、アウターケース６の底面６０とインナーケース８の底面８０ｂとに挟まれて弾性変形する。
【００６１】
基板７を設置したアウターケース６にスイッチ用パッキン９を取り付けたインナーケース８を取り付けるとき、シール部９００がアウターケース６の底面６０とインナーケース８の底面８０ｂとに触れた段階（弾性変形していない段階）では、インナーケース８の全てのスナップフィットは、アウターケース６の側面に形成された開口に嵌り込んでいない。このスナップフィットを開口に嵌め込むためには、シール部９００を弾性変形させなければならない。このシール部９００の弾性変形により、例えば、図２（ｂ）に示すように、インナーケース８とスイッチ用パッキン９との隙間があったとしても、良好な防水性を得ることができる。
【００６２】
以下に、電子キー１の第１のスイッチ４ａの動作について説明する。なお、第２のスイッチ４ｂ〜第４のスイッチ４ｄの動作は、第１のスイッチ４ａの動作と、出力される信号を除いてほぼ同じであるので、説明は省略する。
【００６３】
（第１のスイッチ４ａの動作）
図７（ａ）及び（ｂ）は、実施の形態に係る第１のスイッチ部の動作を説明するための図１（ａ）のVII（ａ）-VII（ａ）線で切断した断面を矢印方向から見た断面図である。図７（ａ）は、操作される前の状態を示し、（ｂ）は、操作された後の状態を示している。
【００６４】
操作前の第１のスイッチ４ａは、例えば、図７（ａ）に示すように、第１のボタン４１の接触部４１６に凸部９１３及び凸部９１４が接触し、ドーム部９１５の上面９１６が第１のボタン４１の接触面４１８に接触し、ドーム部９１５の裏面９１８が第１のスイッチ素子７１の先端部７１１と接触している。
【００６５】
図７（ｂ）に示す矢印の方向に第１のボタン４１が押し下げられると、例えば、図７（ｂ）に示すように、第１のボタン４１の変位により、凸部９１３及び凸部９１４が弾性変形すると共に、ドーム部９１５の側部９１７が弾性変形を行って第１のスイッチ素子７１の先端部７１１を本体７１０に押し込む。
【００６６】
第１のスイッチ素子７１は、先端部７１１が本体７１０に押し込まれることによってオンとなり、オンを示す信号が基板７の電子回路を介して電子キー１から無線で出力される。この信号を受信した車両は、例えば、車両のドアをロックする。
【００６７】
操作者が、第１のボタン４１から指を離すと、第１のボタン４１は、弾性変形を行っていた凸部９１３、凸部９１４及び側部９１７の元の状態に戻ろうとする弾性力により、操作前の状態に復帰する。
【００６８】
続いて、以下に、インナーケース８とスイッチ用パッキン９の組み付けについて説明する。
【００６９】
（スイッチ用パッキン９とインナーケース８の組み付けについて）
図８（ａ）〜（ｃ）は、実施の形態に係るスイッチ用パッキンとインナーケースの組み付けについて説明するための要部断面図である。例えば、図４（ａ）に示す状態のインナーケース８に、図４（ｂ）に示す状態のスイッチ用パッキン９を、組み付ける方法について説明する。
【００７０】
まず、図８（ａ）に示すように、第１のスイッチ機構部９１に対応するインナーケース８の第１の開口８４１の裏面８０ｄに、スイッチ用パッキン９の凸部９１３及び凸部９１４を接触させ、第１のスイッチ機構部９１の裏面９１８に治具１００を接触させる。
【００７１】
次に、図８（ｂ）に示すように、第１の開口８４１に第１のスイッチ機構部９１を押し込む方向に治具１００、スイッチ用パッキン９及びインナーケース８を相対移動させる。例えば、この相対移動により、主に、上部９１２、凸部９１３、凸部９１４、ドーム部９１５の側部９１７が弾性変形する。
【００７２】
次に、図８（ｃ）に示すように、さらに、相対移動させると、上部９１２、凸部９１３及び凸部９１４が第１の開口８４１からインナーケース８の表面８０ａに露出し、第１の開口８４１の縁が円筒部９１０の凹部９１１に嵌り込んで、第１のスイッチ機構部９１の組み付けが終了する。
【００７３】
続いて、上記の組み付け動作を他のスイッチ機構部のそれぞれに行い、スイッチ用パッキン９とインナーケース８の組み付けが終了する。
【００７４】
なお、上記の例では、スイッチ機構部ごとに取り付ける方法であったがこれに限定されず、スイッチ機構部の数の治具１００を用意して、一度に組み付ける方法でも良い。また、スイッチ用パッキン９は、柔軟性が高いので、治具１００の代わりに指によって組み付けても良い。
【００７５】
（実施の形態の効果）
実施の形態に係る電子キー１は、スイッチ用パッキン９が、スイッチ機構部と防水機能を有するシール部とを備えて一体となって形成されるので、操作感を容易に変更することができ、かつ、防水機能を備えることができる。つまり、第１のスイッチ４ａを例にとると、第１のボタン４１の操作感は、主に、凸部９１３及び凸部９１４の形状により、容易に変更することができる。一種類の材料から形成されるスイッチ用パッキン９は、金型が１つであることから、これらの変更が容易となる。しかし、スイッチ機構部とシール部とを二色成形により形成する場合、スイッチ機構部には硬質な樹脂と、シール部には軟らかいゴムのような樹脂と、が必要となり、また、材料を流し込む金型が少なくとも２つ必要であるので、凸部の形状の変更は容易ではない。
【００７６】
また、本実施の形態に係る電子キー１は、スイッチ機構部とシール部とが一体となって形成されない、又は、二色成形により形成される場合と比べて、製造コストを抑制することができる。これは、前者では、シール部としての防水用の部材がスイッチ機構部と別に必要になり、後者では、二種類の材料と、少なくとも２つの金型と、が必要となるからである。
【００７７】
さらに、本実施の形態に係る電子キー１のスイッチ用パッキン９は、全体が柔軟性の高いシリコーンゴムからなるので、スイッチ機構部とシール部とが一体となって形成されない、又は、二色成形により形成される場合と比べて、インナーケース８への組み付けが容易となり、生産性が向上する。
【００７８】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００７９】
１…電子キー、２…本体、３…鍵部、４ａ〜４ｄ…第１のスイッチ〜第４のスイッチ、５…送信機モジュール、６…アウターケース、７…基板、８…インナーケース、９…スイッチ用パッキン、２０…下部本体、２０ａ…先端部、２１…上部本体、３０…キープレート、３１…端部、３２…溝部、４１〜４４…第１のボタン〜第４のボタン、６０…底面、６１…前側面、６２…側面部、６３…右側面、６４…後側面、６５…左側面、６６…収容部、６７ａ〜６７ｅ…支持部、７０ａ…表面、７０ｂ…裏面、７１〜７４…第１のスイッチ素子〜第４のスイッチ素子、８０ａ…表面、８０ｂ…底面、８０ｃ…側面部、８０ｄ…裏面、８１…前側面、８２…側面、８３…右側面、９０ａ…表面、９０ｂ…裏面、９０ｃ…側面部、９１〜９４…第１のスイッチ機構部〜第４のスイッチ機構部、９５…前側面、９６…底部、９７…左側面、１００…治具、２００…凹部、２０１…収容部、２０２…凹部、２１０…表面、２１１〜２１４…第１の開口〜第４の開口、２１５…凹部、４１１…操作面、４１１ａ…突起、４１１ｂ…突起、４１２ａ…前側面、４１２ｂ…右側面、４１２ｃ…左側面、４１２ｄ…後側面、４１３…ストッパ、４１４…ストッパ、４１５…裏面、４１６…接触部、４１７…凸部、４１８…接触面、６１０…第１の開口、６２０…第２の開口、６３０…第３の開口、６４０…第４の開口、６４１…第５の開口、６５０…第６の開口、６５１…第７の開口、７００…電池、７１０…本体、７１１…先端部、７２０…本体、７２１…先端部、７３０…本体、７３１…先端部、７４０…本体、７４１…先端部、８００…収容部、８１０…第１のスナップフィット、８２０…第２のスナップフィット、８３０…第３のスナップフィット、８４１〜８４４…第１の開口〜第４の開口、９００…シール部、９１０…円筒部、９１１…凹部、９１２…上部、９１３…凸部、９１４…凸部、９１５…ドーム部、９１５ａ…開口、９１６…上面、９１７…側部、９１８…裏面、９２０…円筒部、９２２…上部、９２３…凸部、９２４…凸部、９２５…ドーム部、９２５ａ…開口、９２６…上面、９２８…裏面、９３０…円筒部、９３２…上部、９３３…凸部、９３４…凸部、９３５…ドーム部、９３５ａ…開口、９３６…上面、９３８…裏面、９４０…円筒部、９４２…上部、９４３…凸部、９４４…凸部、９４５…ドーム部、９４５ａ…開口、９４６…上面、９４８…裏面
【図１】
0005615774.tif 000002
【図２】
0005615774.tif 000003
【図３】
0005615774.tif 000004
【図４】
0005615774.tif 000005
【図５】
0005615774.tif 000006
【図６】
0005615774.tif 000007
【図７】
0005615774.tif 000008
【図８】
0005615774.tif 000009